(57)【要約】【課題】複雑なメニューの選択や操作をする必要がなく、更に、店舗や場所による操作性を統一することが可能な属性管理装置、画像形成装置、データ印刷システムおよびデータ印刷方法を提供する。【解決手段】端末はデータ名およびデータ属性をデータ属性管理装置に送信し、データ属性管理装置は関連コードを生成し、関連コードをデータ属性に関連付けて保存し、関連コードを端末に送信し、端末はデータおよび関連コードを記憶メディアに記憶させ、ユーザはプリンタに記憶メディアを接続し、プリンタはデータのデータ名のリストをＵＩに表示し、ユーザがデータ名を選択すると、選択されたデータに関連付けられた関連コードを検索し、データ属性管理装置に関連コードを送信し、データ属性管理装置は関連コードに関連付けられたデータ属性をプリンタに送信し、プリンタはデータ属性に従ってデータのプリント処理を行う。【選択図】図２
2007086999.tif 000002
【特許請求の範囲】
【請求項１】
ネットワークを介して端末と、属性管理装置と、画像形成装置とが接続するデータ印刷システムにおいて、
前記属性管理装置は、
前記端末から前記画像形成装置で出力するデータの出力に関する属性を受け付けた際に、該属性に関連付ける関連情報を生成する関連情報生成手段と、
前記関連情報生成で生成した関連情報と、前記属性とを関連付けて保管する属性保管手段と、
前記関連情報生成手段で生成した関連情報を前記端末に対して送信する関連情報送信手段と、
前記画像形成装置から前記関連情報を受け付けた際に、該受け付けた関連情報に関連付けられた属性を該画像形成装置に対して送信する属性送信手段と
を具備し、
前記端末は、
前記端末に接続されている外部記憶装置に前記データおよび前記属性管理装置からの関連情報を記憶させ、
前記画像形成装置は、
前記外部記憶装置と接続する接続手段と、
前記接続手段に前記外部記憶装置が接続した際に、該外部記憶装置に記憶されている前記データおよび前記関連情報を読み出して保存する保存手段と、
前記保存手段に保存された関連情報と関連付けられた属性を前記属性管理装置から取得する属性取得手段と、
前記属性取得手段で取得した属性に従って、前記保存手段に保存されたデータを出力する出力手段と
を具備することを特徴とするデータ印刷システム。
【請求項２】
前記属性管理装置の関連情報生成手段は、
前記端末から前記属性とともに前記データの名称を受け付けた際に、該名称に関連付けた関連情報を生成する
ことを特徴とする請求項１記載のデータ印刷システム。
【請求項３】
前記画像形成装置は、
前記保存手段に保存されたデータの名称のリストを表示装置に表示するリスト表示手段と、
前記リスト上から決定されたデータの名称に関連付けられた関連情報を前記保存手段に保存された関連情報から検索する検索手段と
を具備することを特徴とする請求項２記載のデータ印刷システム。
【請求項４】
ネットワークを介して端末と画像形成装置とに接続する属性管理装置において、
前記属性管理装置は、
前記端末から前記画像形成装置で出力するデータの出力に関する属性を受け付けた際に、該属性に関連付ける関連情報を生成する関連情報生成手段と、
前記関連情報生成で生成した関連情報と、前記属性とを関連付けて保管する属性保管手段と、
前記関連情報生成で生成した関連情報を前記端末に対して送信する関連情報送信手段と、
前記画像形成装置から前記関連情報を受け付けた際に、該受け付けた関連情報に関連付けられた属性を該画像形成装置に対して送信する属性送信手段と
を具備することを特徴とする属性管理装置。
【請求項５】
前記関連情報生成手段は、
前記端末から前記属性とともに前記データの名称を受け付けた際に、該名称に関連付けた関連情報を生成する
ことを特徴とする請求項４記載の属性管理装置。
【請求項６】
ネットワークを介して端末と属性管理装置とに接続する画像形成装置において、
外部記憶装置と接続する接続手段と、
前記接続手段に前記外部記憶装置が接続した際に、該外部記憶装置に記憶されているデータおよび該データの出力に関する属性と関連付けられた関連情報を読み出して保存する保存手段と、
前記関連情報と前記属性とを関連付けて保管する属性管理装置から、前記保存手段に保存された関連情報と関連付けられた属性を取得する属性取得手段と、
前記属性取得手段で取得した属性に従って、前記保存手段に保存されたデータを出力する出力手段と
を具備することを特徴とする画像形成装置。
【請求項７】
前記保存手段に保存されたデータの名称のリストを表示装置に表示するリスト表示手段と、
前記リスト上から決定されたデータの名称に関連付けられた関連情報を前記保存手段に保存された関連情報から検索する検索手段と
を更に具備することを特徴とする請求項６記載の画像形成装置。
【請求項８】
ネットワークを介して接続する端末、属性管理装置および画像形成装置で行われるデータ印刷方法において、
前記端末は、
前記画像形成装置で出力するデータの出力に関する属性を前記属性管理装置に送信し、
前記属性管理装置は、
前記端末からの属性に関連付ける関連情報を生成し、
該生成した関連情報と、前記属性とを関連付けて保管し、
前記生成した関連情報を前記端末に対して送信し、
前記端末は、
前記端末に接続されている外部記憶装置に前記データおよび前記属性管理装置からの関連情報を記憶させ、
前記画像形成装置は、
前記外部記憶装置が接続した際に、該外部記憶装置に記憶されている前記データおよび前記関連情報を読み出して保存し、
前記保存手段に保存された関連情報を前記属性管理装置に対して送信し、
前記属性管理装置は、
前記画像形成装置からの関連情報に関連付けられた属性を該画像形成装置に対して送信し、
前記画像形成装置は、
前記属性管理装置からの属性に従って、前記保存されたデータを出力する
ことを特徴とするデータ印刷方法。
【請求項９】
前記属性管理装置は、
前記端末から前記属性とともに前記データの名称を受け付けた際に、該名称に関連付けた関連情報を生成する
ことを特徴とする請求項８記載のデータ印刷方法。
【請求項１０】
前記画像形成装置は、
前記保存されたデータの名称のリストを表示装置に表示し、
前記リスト上から決定されたデータの名称に関連付けられた関連情報を前記保存された関連情報から検索する
ことを特徴とする請求項９記載のデータ印刷方法。
【発明の詳細な説明】
【技術分野】
【０００１】
本発明は、属性管理装置、画像形成装置、データ印刷システムおよびデータ印刷方法に関し、特に、記憶メディアに記憶したデータを店舗等に設置されたプリンタで印刷するための属性管理装置、画像形成装置、データ印刷システムおよびデータ印刷方法に関する。
【背景技術】
【０００２】
近年のＩＴ［Information Technology］技術の普及に伴い、オフィスや家庭以外の場所でもネットワークに手軽にアクセスできる手段が提供されるようになった。しかしながら、ネットワークで得た情報やあらかじめ自分のデスクトップ上にある情報をオフィスや家庭以外の場所で出力する段階になると、それを実現する手段が極めて限られている。
【０００３】
例えば、ユーザがコンビニ等の店舗に設置されている店舗端末にスマートメディア等を持参し、店舗端末にこれを読み取らせると、店舗端末は出力形式をユーザに問い合わせる出力データ提供システムおよび出力データ提供端末がある（例えば、特許文献１参照。）。
【０００４】
また、例えば、メモリーカード等の記録媒体を介在することなく、携帯電話機等を使用して印刷物自動販売機に印刷処理を行わせることができる印刷物自動販売システムがある（例えば、特許文献２参照。）。
【特許文献１】特開２００１−２９６９８７号公報
【特許文献２】特開２００４−１１０７７７号公報
【発明の開示】
【発明が解決しようとする課題】
【０００５】
しかし、メディア自体から直接出力するサービスについては、固有のＵＩ［User Interface］（即ち、操作部分）を備えることで数多く実現されているが、より複雑な選択肢を持つ一般のビジネス文書を手軽にプリントできる環境はいまだ提供されていない。複雑な操作メニューを簡便に実現する手段と、それらが特定の地域や場所に限定されない汎用性をいかに持たせられるかが先行技術の課題である。
【０００６】
例えば、デジタルカメラ用のメディアプリント端末等では、操作画面に工夫が凝らされ、老若男女が使用できるように、簡単な内容になっているものの、これは操作メニュー自体を限定することで実現されているに過ぎない。ビジネス文書等の場合には、プリンタドライバで提供される機能を含めて、選択肢は極めて複雑であり、それらを簡便に処理するためには何らかの改善手段が必要である。
【０００７】
また、例えば、デジタルカメラプリントは、複数のメーカーから提供されており、利用する店舗や場所によって結果的に操作性も異なっている。使い易いものとそうでないものがどうしても出てきてしまい、操作性を統一するために何らかの改善手段が必要である。
【０００８】
ただし、上記記載の特許文献１および特許文献２においても、これらの改善手段については言及されていない。
【０００９】
そこで、本発明は、上記改善手段を提案し、複雑なメニューの選択や操作をする必要がないうえに、店舗や場所による操作性も統一することが可能な属性管理装置、画像形成装置、データ印刷システムおよびデータ印刷方法を提供することを目的とする。
【課題を解決するための手段】
【００１０】
上記目的を達成するため、請求項１の発明は、ネットワークを介して端末と、属性管理装置と、画像形成装置とが接続するデータ印刷システムにおいて、前記属性管理装置は、前記端末から前記画像形成装置で出力するデータの出力に関する属性を受け付けた際に、該属性に関連付ける関連情報を生成する関連情報生成手段と、前記関連情報生成で生成した関連情報と、前記属性とを関連付けて保管する属性保管手段と、前記関連情報生成手段で生成した関連情報を前記端末に対して送信する関連情報送信手段と、前記画像形成装置から前記関連情報を受け付けた際に、該受け付けた関連情報に関連付けられた属性を該画像形成装置に対して送信する属性送信手段とを具備し、前記端末は、前記端末に接続されている外部記憶装置に前記データおよび前記属性管理装置からの関連情報を記憶させ、前記画像形成装置は、前記外部記憶装置と接続する接続手段と、前記接続手段に前記外部記憶装置が接続した際に、該外部記憶装置に記憶されている前記データおよび前記関連情報を読み出して保存する保存手段と、前記保存手段に保存された関連情報と関連付けられた属性を前記属性管理装置から取得する属性取得手段と、前記属性取得手段で取得した属性に従って、前記保存手段に保存されたデータを出力する出力手段とを具備することを特徴とする。
【００１１】
また、請求項２の発明は、請求項１の発明において、前記属性管理装置の関連情報生成手段は、前記端末から前記属性とともに前記データの名称を受け付けた際に、該名称に関連付けた関連情報を生成することを特徴とする。
【００１２】
また、請求項３の発明は、請求項２の発明において、前記画像形成装置は、前記保存手段に保存されたデータの名称のリストを表示装置に表示するリスト表示手段と、前記リスト上から決定されたデータの名称に関連付けられた関連情報を前記保存手段に保存された関連情報から検索する検索手段とを具備することを特徴とする。
【００１３】
また、請求項４の発明は、ネットワークを介して端末と画像形成装置とに接続する属性管理装置において、前記属性管理装置は、前記端末から前記画像形成装置で出力するデータの出力に関する属性を受け付けた際に、該属性に関連付ける関連情報を生成する関連情報生成手段と、前記関連情報生成で生成した関連情報と、前記属性とを関連付けて保管する属性保管手段と、前記関連情報生成で生成した関連情報を前記端末に対して送信する関連情報送信手段と、前記画像形成装置から前記関連情報を受け付けた際に、該受け付けた関連情報に関連付けられた属性を該画像形成装置に対して送信する属性送信手段とを具備することを特徴とする。
【００１４】
また、請求項５の発明は、請求項４の発明において、前記関連情報生成手段は、前記端末から前記属性とともに前記データの名称を受け付けた際に、該名称に関連付けた関連情報を生成することを特徴とする。
【００１５】
また、請求項６の発明は、ネットワークを介して端末と属性管理装置とに接続する画像形成装置において、外部記憶装置と接続する接続手段と、前記接続手段に前記外部記憶装置が接続した際に、該外部記憶装置に記憶されているデータおよび該データの出力に関する属性と関連付けられた関連情報を読み出して保存する保存手段と、前記関連情報と前記属性とを関連付けて保管する属性管理装置から、前記保存手段に保存された関連情報と関連付けられた属性を取得する属性取得手段と、前記属性取得手段で取得した属性に従って、前記保存手段に保存されたデータを出力する出力手段とを具備することを特徴とする。
【００１６】
また、請求項７の発明は、請求項６の発明において、前記保存手段に保存されたデータの名称のリストを表示装置に表示するリスト表示手段と、前記リスト上から決定されたデータの名称に関連付けられた関連情報を前記保存手段に保存された関連情報から検索する検索手段とを更に具備することを特徴とする。
【００１７】
また、請求項８の発明は、ネットワークを介して接続する端末、属性管理装置および画像形成装置で行われるデータ印刷方法において、前記端末は、前記画像形成装置で出力するデータの出力に関する属性を前記属性管理装置に送信し、前記属性管理装置は、前記端末からの属性に関連付ける関連情報を生成し、該生成した関連情報と、前記属性とを関連付けて保管し、前記生成した関連情報を前記端末に対して送信し、前記端末は、前記端末に接続されている外部記憶装置に前記データおよび前記属性管理装置からの関連情報を記憶させ、前記画像形成装置は、前記外部記憶装置が接続した際に、該外部記憶装置に記憶されている前記データおよび前記関連情報を読み出して保存し、前記保存手段に保存された関連情報を前記属性管理装置に対して送信し、前記属性管理装置は、前記画像形成装置からの関連情報に関連付けられた属性を該画像形成装置に対して送信し、前記画像形成装置は、前記属性管理装置からの属性に従って、前記保存されたデータを出力することを特徴とする。
【００１８】
また、請求項９の発明は、請求項８の発明において、前記属性管理装置は、前記端末から前記属性とともに前記データの名称を受け付けた際に、該名称に関連付けた関連情報を生成することを特徴とする。
【００１９】
また、請求項１０の発明は、請求項９の発明において、前記画像形成装置は、前記保存されたデータの名称のリストを表示装置に表示し、前記リスト上から決定されたデータの名称に関連付けられた関連情報を前記保存された関連情報から検索することを特徴とする。
【発明の効果】
【００２０】
本発明によれば、実際の出力作業を行う際に、複雑なメニューの選択や操作をする必要がなく、出力するデータのみを選択するだけで良くなることになり、結果的に自分のクライアントで日常利用する出力メニューをそのまま実行することが可能になるという効果を奏する。
【００２１】
更に、本発明によれば、出力サービスを提供するメーカーや店舗、場所による操作性の違いが大きく改善され、何時でも何処でも自分が受けたいプリントサービスを享受することが可能になるという効果を奏する。
【００２２】
更に、本発明によれば、データ本体自体は記憶メディアに保管しておけば良いことから、データ本体をネットワークに流通させる必要がないので、高いセキュリティを保持することが可能になるという効果を奏する。
【００２３】
更に、本発明によれば、比較的サイズが小さな属性のみがネットワークを介して通信されることから、サイズが大きなデータ本体の通信を行う必要がないので、通信費の削減や、ネットワーク内の通信量の削減を可能にするという効果を奏する。
【００２４】
更に、本発明によれば、データ本体をネットワークに流通させるためのデータ圧縮等により、意に反する画像品質に改変されることを免れるという効果を奏する。
【発明を実施するための最良の形態】
【００２５】
以下、本発明に係る属性管理装置、画像形成装置、データ印刷システムおよびデータ印刷方法の実施の形態について添付図面を参照して詳細に説明する。
【００２６】
図１は、本発明に係るデータ印刷システム１の一例を示すシステム構成図である。
【００２７】
図１に示すように、データ印刷システム１は、本発明に係る属性管理装置であるデータ属性管理装置２と、本発明に係る画像形成装置であるプリンタ３と、デスクトップＰＣ［Personal Computer］、ノートＰＣ、ＰＤＡ［Personal Digital Assistance］、携帯電話等の端末４と、記憶メディア５とを具備して構成され、データ属性管理装置２はネットワーク６１を介して端末４と接続するとともに、ネットワーク６２を介してプリンタ３（図１では、複数台のプリンタ）と接続している。なお、記憶メディア５は携帯可能なフラッシュメモリ等であり、端末４が有するコネクタ等に接続することで、端末４のデータを記憶メディア５に記憶させる。即ち、端末４はネットワーク６１に接続ができ、データ属性管理装置２とデータ等のやり取りができ、記憶メディア５が接続できるコネクタを有する機器であれば適用可能である。
【００２８】
データ属性管理装置２は、端末４から受け付けたデータを印刷するための印刷設定（以後、データ属性と称する）の保存・管理、データ属性に関連付ける関連コードの生成・管理、端末への関連コードの送信、プリンタ３からのデータ属性の要求に応じた当該データ属性のプリンタ３への送信等を行う。
【００２９】
プリンタ３は、記憶メディア５が接続できるコネクタを有し、記憶メディア５からプリントするデータおよび関連コードを読み出し、データ属性管理装置２から当該関連コードに関連付けられたデータ属性を取得し、当該データ属性に従って当該データのプリント処理を行う。
【００３０】
図２は、図１に示すデータ属性管理装置２およびプリンタ３の機能的な構成の一例を示すブロック図である。
【００３１】
図２に示すように、データ属性管理装置２は、ネットワークＩ／Ｆ７１、データ属性保管部８、関連コード生成部９を具備して構成される。
【００３２】
ネットワークＩ／Ｆ７１は、インターネット、イントラネット等のネットワークとの接続が可能なデータ通信のインターフェースである。
【００３３】
データ属性保管部８は、端末４からネットワークＩ／Ｆ７１を介して受け付けたデータ属性の保存・管理を行うものである。
【００３４】
関連コード生成部９は、データ属性保管部８に保存するデータ属性に関連付ける関連コードの生成を行うものである。なお、関連コードの生成する際に、端末４からデータ属性とともに受け付けたデータのデータ名に基づき、何らかの規則に従って関連コードを生成することで、データ名と関連コードとの関連付けを行うことができる。また、データ属性保管部８は関連コード生成部９で生成した関連コードを当該データ属性に関連付けて保存する。
【００３５】
図２に示すように、プリンタ３は、ネットワークＩ／Ｆ７２、記憶メディア接続部１０、データ保存部１１、ＵＩ制御部１２、ＵＩ［User Interface］１３、データ処理部１４、データ属性取得部１５、プリント処理部１６を具備して構成される。
【００３６】
ネットワークＩ／Ｆ７２は、インターネット、イントラネット等のネットワークとの接続が可能なデータ通信のインターフェースである。
【００３７】
記憶メディア接続部１０は、記憶メディア５と接続し、接続した記憶メディア５に記憶されているデータ、関連コード等を読み出す処理を行うものである。
【００３８】
データ保存部１１は、記憶メディア５から読み出したデータ、関連コード等の一時保存を行うものである。
【００３９】
ＵＩ制御部１２は、ＵＩ１３の制御処理を行うものである。プリンタ３のメニュー画面等をＵＩに表示させる制御、データ保存部１１が一時保存しているデータ、関連コード等のリスト画面をＵＩ１３に表示させる制御、ＵＩ１３からの入力事項をデータ処理部１４に通知する制御等を行う。
【００４０】
ＵＩ１３は、プリンタ３のメニュー画面、データ、関連コード等のリスト画面等を表示するディスプレイ等と、入力事項を入力するためのハードキー等とから構成されるもの、または表示および入力の機能を兼ね備えたタッチパネル方式から構成されるものである。
【００４１】
データ処理部１４は、データ保存部１１に一時保存されたデータの処理を行うものであり、具体的には、ＵＩ１３にて選択されたプリントするデータに関連付けられた関連コードを検索する処理、ＵＩ１３にて選択されたプリントするデータをプリント処理部１６に渡す処理等がある。
【００４２】
データ属性取得部１５は、ネットワークＩ／Ｆ６２を介してデータ処理部１４が識別した関連コードをデータ属性管理装置２に送信することで、当該関連コードに関連付けられたデータ属性を取得する処理を行うものである。
【００４３】
プリント処理部１６は、データ属性取得部１５が取得したデータ属性に従って、データ処理部１４から受け取ったデータのプリント処理を行うものである。
【００４４】
次に、データ印刷システムにおける端末、記憶メディア、プリンタおよびデータ属性管理装置で行われるデータ印刷の処理の流れについて図３に示すシーケンス図を参照して説明する。
【００４５】
端末はこれからプリントするデータのデータ名およびデータ属性をデータ属性管理装置に送信する（ステップＳ３０１）。図４（ａ）は、データ属性をデータ属性管理装置に送信するための画面の一例を示す図である。端末のディスプレイ等に図４（ａ）に示す画面が表示され、ユーザは当該画面内の入力欄にデータ名およびデータ属性を入力する。例えば、データ名の入力欄にはプリントするデータのデータ名「ＡＢＣＤＥ＿０１」を入力し、印刷部数の入力欄には印刷部数「１」を入力し、印刷サイズ設定のコンボボックスから「Ａ４」を選択し、両面設定のコンボボックスから「片面」を選択し、カラーモード設定のコンボボックスから「自動」を選択し、送信ボタンを押下すると、上記設定したデータ名「ＡＢＣＤＥ＿０１」およびデータ属性（印刷部数「１」、印刷サイズ設定「Ａ４」、両面設定「片面」、カラーモード設定「自動」）がデータ属性管理装置に送信される。
【００４６】
データ属性管理装置は端末からのデータ名およびデータ属性を受信すると、関連コード生成部が当該データ名に基づいて関連コードを生成し、データ属性保管部が当該関連コードを当該データ属性に関連付けて保存し（ステップＳ３０２）、関連コード生成部が当該関連コードを端末に送信する（ステップＳ３０３）。図４（ｂ）は、関連コードを端末に送信するための画面の一例を示す図である。例えば、図４（ａ）に示す画面によって、データ名およびデータ属性をデータ属性管理装置に送信すると、端末のディスプレイ等に図４（ｂ）に示す画面が表示され、ユーザは当該画面内の記載により先程送信したデータ属性がデータ属性管理装置に保存されたことを確認し、当該画面内の記載に従って関連コード取得ボタンを押下すると、データ属性管理装置から端末に関連コードを送信させることができる。
【００４７】
端末はプリントするデータ本体、およびデータ属性管理装置から取得した関連コードを記憶メディアに記憶させる（ステップ３０４）。
【００４８】
ユーザはデータおよび関連コードを記憶した記憶メディアを端末から取り外し、当該データをプリントしたいプリンタまで赴き、当該プリンタの記憶メディア接続部に当該記憶メディアを接続する（ステップＳ３０５）。
【００４９】
プリンタは記憶メディアが接続されると、データ保存部が記憶メディアに記憶されたデータおよび関連コードを読み出して一時保存し、ＵＩ制御部が一時保存されているデータのデータ名のリストをＵＩに表示し、ユーザがプリントしたいデータ名を選択すると、データ処理部が選択されたデータに関連付けられた関連コードをデータ保存部に一時保存されている関連コードの中から検索し（ステップＳ３０６）、データ属性取得部がデータ属性管理装置に対し、検索した関連コードを送信する（ステップＳ３０７）。図５（ａ）は、ＵＩに表示されたデータ名のリストの一例を示す図である。ユーザは図５（ａ）に示すリストからプリントしたいデータを選択する。例えば、データ名「ＡＢＣＤＥ＿０１」をプリントしたい場合は、データ名「ＡＢＣＤＥ＿０１」の表示部を押下すると、当該表示部がグレー表示になり、更に、決定ボタンを押下することで、データ名「ＡＢＣＤＥ＿０１」がプリントするデータとして決定する。
【００５０】
データ属性管理装置はプリンタから関連コードを受け付けると、データ属性管理部が当該関連コードに関連付けられたデータ属性を読み出し（ステップＳ３０８）、当該データ属性をプリンタに送信する（ステップＳ３０９）。
【００５１】
プリンタはデータ属性管理装置からのデータ属性を受信すると、データ属性取得部が当該データ属性をプリント処理部に渡し、データ処理部がデータ保存部に一時保存されているデータをプリント処理部に渡し、プリント処理部は当該データ属性に従って当該データのプリント処理を行う（ステップＳ３１０）。
【００５２】
なお、データ属性管理部に保存したデータ属性がプリント処理するプリンタに反映できない場合（例えば、両面印刷が不可能なプリンタに両面印刷のデータ属性が設定されている場合、モノクロプリンタにカラー印刷のデータ属性が設定されている場合等）、データ属性管理装置がプリンタからデータ属性を要求された際に、当該データ属性を当該プリンタに反映できるか否か確認し、反映できないデータ属性については一度プリンタのＵＩでその旨をＵＩに表示してユーザに再設定を促すか、または当該データ属性については当該プリンタのデフォルト値に設定してプリンタのＵＩで当該デフォルト値を表示してユーザに提案することになる。
【００５３】
図５（ｂ）は、ＵＩに表示された関連コードのリストの一例を示す図である。図５（ａ）に示すリストからデータを選択した上で、図５（ｂ）に示すリストを表示し、ユーザに関連コードを選択させることもできる。この場合、データ名に基づいて関連コードを生成する必要がなくなるとともに、同一の関連コードを使用して異なるデータのプリント処理を行うことができる。
【００５４】
本発明は、上記し、且つ図面に示した実施例に限定することなく、その要旨を変更しない範囲内で適宜変形して実施できるものである。
【図面の簡単な説明】
【００５５】
【図１】本発明に係るデータ印刷システムの一例を示すシステム構成図である。
【図２】図１に示すデータ属性管理装置およびプリンタの機能的な構成の一例を示すブロック図である。
【図３】データ印刷システムにおける端末、記憶メディア、プリンタおよびデータ属性管理装置で行われるデータ印刷の処理の流れを示すシーケンス図である。
【図４】端末のディスプレイに表示される画面の一例を示す図である。
【図５】ＵＩの表示例を示す図である。
【符号の説明】
【００５６】
１    データ印刷システム
２    データ管理装置
３    プリンタ
４    端末
５    記憶メディア
６１、６２    ネットワーク
７１、７２    ネットワークＩ／Ｆ
８    データ属性保管部
９    関連コード生成部
１０    記憶メディア接続部
１１    データ保存部
１２    ＵＩ制御部
１３    ＵＩ
１４    データ処理部
１５    データ属性取得部
１６    プリント処理部
【図１】
2007086999.tif 000003
【図２】
2007086999.tif 000004
【図３】
2007086999.tif 000005
【図４】
2007086999.tif 000006
【図５】
2007086999.tif 000007